Podtech/llm-jp-corpus-v4-ja_patent huggingface dataset:
【手続補正書】
【提出日】平成29年1月31日(2017.1.31)
【手続補正１】
【補正対象書類名】特許請求の範囲
【補正対象項目名】全文
【補正方法】変更
【補正の内容】
【特許請求の範囲】
【請求項１】
少なくとも１種類の第１の薬剤的有効成分（５）、および少なくとも１種類の第１のポリマー材料で作製された少なくとも１つの第１の層（４）を含み、約１０から約６０ｖ／ｖ％の少なくとも１種類の粒子状材料（６）を前記第１のポリマー材料中に分散させ、かつ／または組み込み、前記粒子状材料は０．１μｍから１００μｍの平均粒度を有している、子宮内避妊具（１，１’，１”）。
【請求項２】
前記少なくとも１種類の第１のポリマー材料中に、少なくとも１５ｖ／ｖ％の、より好ましくは少なくとも２０ｖ／ｖ％の、さらに好ましくは少なくとも２５ｖ／ｖ％の前記少なくとも１種類の粒子状材料（６）を分散させ、かつ／または組み込んでいる、請求項１に記載の子宮内避妊具（１，１’，１”）。
【請求項３】
前記少なくとも１種類の粒子状材料（６）は、不活性無機または有機材料である、請求項１または２に記載の子宮内避妊具（１，１’，１”）。
【請求項４】
前記少なくとも１種類の粒子状材料（６）は、０．５μｍ〜５０μｍ、好ましくは１μｍ〜３０μｍ、より好ましくは２μｍ〜２０μｍ、さらに好ましくは約１０μｍの平均粒度を有している、請求項１〜３のいずれか一項に記載の子宮内避妊具（１，１’，１”）。
【請求項５】
前記少なくとも１種類の粒子状材料（６）は、ステアリン酸マグネシウム、ベントナイト、タルク、粘土、ステアリン酸カルシウム、ステアリン酸、フマル酸ステアリルナトリウム、および硫酸カルシウムを含む群より選択される、請求項１〜４のいずれか一項に記載の子宮内避妊具（１，１’，１”）。
【請求項６】
前記少なくとも１種類の粒子状材料（６）は、板状構造、平坦構造、および／または層状３次元構造、または前記粒子状材料のうちの１種類または複数の組合せを有する、請求項１〜５のいずれか一項に記載の子宮内避妊具（１，１’，１”）。
【請求項７】
前記少なくとも１種類の粒子状材料（６）は、表面処理および／または改良されて、前記材料の３次元形状または親水性／疎水性特性が改変されている、請求項１〜６のいずれか一項に記載の子宮内避妊具（１，１’，１”）。
【請求項８】
前記少なくとも１つの第１の層（４）の厚さは、０．０５ｍｍから３ｍｍ、好ましくは０．０５ｍｍから２ｍｍ、より好ましくは０．１ｍｍから２ｍｍ、さらに好ましくは０．２ｍｍから１ｍｍである、請求項１〜７のいずれか一項に記載の子宮内避妊具（１，１’，１”）。
【請求項９】
前記子宮内避妊具の外層は、前記少なくとも１つの第１の層（４）である、請求項１〜８のいずれか一項に記載の子宮内避妊具（１，１’，１”）。
【請求項１０】
前記少なくとも１種類の第１の薬剤的有効成分を、好ましくは少なくとも１種類の第２のポリマー材料で作製された少なくとも１つの第２の層（３，３’，３”）中に組み込み／分散させ、前記少なくとも１つの第１の層（４）は少なくとも部分的に前記第２の層（３，３’，３”）を封入している、請求項１〜９のいずれか一項に記載の子宮内避妊具（１，１’，１”）。
【請求項１１】
前記少なくとも１つの第２の層（３”）は区画（３ａ，３ｂ）に分割され、前記区画のそれぞれが個別の有効成分（５ａ，５ｂ）を含んでいる、請求項１０に記載の子宮内避妊具（１，１’，１”）。
【請求項１２】
前記少なくとも１つの第１の層（４）は、薬剤的有効成分をいっさい含有していない、請求項１〜１１のいずれか一項に記載の子宮内避妊具（１，１’，１”）。
【請求項１３】
前記子宮内避妊具（１，１’）はさらに、中心不活性コア（２）を含んでおり、前記コアは有効成分をいっさい含有しておらず、前記少なくとも１つの第２の層（３）は少なくとも部分的に前記コアを封入しており、前記少なくとも１つの第１の層（４）は少なくとも部分的に前記第２の層（３）を封入している、請求項１０〜１２のいずれか一項に記載の子宮内避妊具（１，１’，１”）。
【請求項１４】
前記第１および／または第２の層（３，３’，４）の前記少なくとも１種類の第１のポリマー材料、および随意でコア（２）は、少なくとも１種類の不活性の熱硬化性エラストマーまたは熱可塑性エラストマーである、請求項１〜１３のいずれか一項に記載の子宮内避妊具（１，１’，１”）。
【請求項１５】
前記コアは熱可塑性ポリマーで作製され、前記第１および第２の層のそれぞれ前記第１および第２のポリマー材料は、熱硬化性エラストマー、好ましくはシリコーンである、請求項１３または１４に記載の子宮内避妊具（１，１’，１”）。
【請求項１６】
前記熱硬化性エラストマーは、医薬品として許容されるシリコーン、好ましくはポリジメチルシロキサンである、請求項１４に記載の子宮内避妊具（１，１’，１”）。
【請求項１７】
前記少なくとも１種類の第１の薬剤的有効成分（５）は、少なくとも１種類の避妊薬、たとえばエストロゲン様ステロイドおよび／またはプロゲステロン様ステロイドである、請求項１〜１６のいずれか一項に記載の子宮内避妊具（１，１’，１”）。
【請求項１８】
前記少なくとも１種類の第１の薬剤的有効成分（５）は、少なくとも１種類の殺精子剤、抗微生物剤、および／または抗ウイルス剤である、請求項１〜１７のいずれか一項に記載の子宮内避妊具（１，１’，１”）。
【請求項１９】
前記子宮内避妊具（１，１’，１”）は、膣内リングである、請求項１〜１８のいずれか一項に記載の子宮内避妊具（１，１’，１”）。
【請求項２０】
子宮内避妊具（１，１’）においてポリマー材料を通って有効成分が拡散する速度を減少させる方法であって、１０から６０ｖ／ｖ％の少なくとも１種類の粒子状材料（６）を前記ポリマー材料中に組み込むことを含んでいる、方法。
【請求項２１】
前記粒子状材料（６）は、０．１μｍ〜１００μｍの、好ましくは０．５μｍ〜５０μｍの、より好ましくは１μｍ〜３０μｍの、さらに好ましくは２μｍ〜２０μｍの平均粒度を有している、請求項２０に記載の方法。
【請求項２２】
前記少なくとも１種類の粒子状材料（６）は、ステアリン酸マグネシウム、ベントナイト、タルク、粘土、ステアリン酸カルシウム、ステアリン酸、および硫酸カルシウムを含む群より選択される、請求項２０または２１に記載の方法。
【請求項２３】
請求項１９に記載の膣内リング（１，１’，１”）を作製する方法であって、前記少なくとも１つの第１の層（４）は、射出成形または押し出し成形によって調製される、方法。
【請求項２４】
前記少なくとも１種類の粒子状材料（６）を、前記射出成形または押し出し成形のステップの間に、前記少なくとも１種類の第１のポリマー材料中に分散させ、溶解させ、かつ／または組み込む、請求項２３に記載の方法。
【請求項２５】
前記膣内リング（１，１’，１”）はさらに、少なくとも１つの第２の層（３，３’，３”）および／または不活性コア（２）を含み、前記第１の層（４）および前記第２の層（３，３’）および／または前記コア（２）は同時にまたは別々に形成される、請求項２３または２４に記載の方法。
【手続補正書】
【提出日】平成29年1月19日(2017.1.19)
【手続補正１】
【補正対象書類名】特許請求の範囲
【補正対象項目名】全文
【補正方法】変更
【補正の内容】
【特許請求の範囲】
【請求項１】
第２の基地局に留まっている間に第１の基地局から情報ブロックを受信すること、前記第１の基地局は、休止状態であり、前記情報ブロックは、ランダムアクセスプロシージャの少なくとも一部を実行するためのランダムアクセス構成のインジケーションを備える、と、
前記第２の基地局から前記第１の基地局に再選択することを決定することと、
前記ランダムアクセスプロシージャ中にシステム情報を受信すること、前記システム情報は、前記第１の基地局からのランダムアクセス応答において受信される、と、
第２の基地局から前記第１の基地局に再選択するために、前記第１の基地局から前記情報ブロックに含まれている前記インジケーションにより示された前記ランダムアクセス構成に基づいて前記第１の基地局とのランダムアクセスプロシージャの少なくとも一部を実行する、前記システム情報は、前記ランダムアクセスプロシージャの残りの一部を実行するための第２のランダムアクセス構成を示す、ことと
を備える、ワイヤレス通信の方法。
【請求項２】
前記第２の基地局から、前記第１の基地局を検出するためのリソースのインジケーションを受信することをさらに備え、前記情報ブロックは、前記示されたリソース中で受信される、
請求項１に記載の方法。
【請求項３】
前記第２の基地局からページング通知を受信することをさらに備え、前記再選択する決定は、前記受信されたページング通知に基づく、
請求項１に記載の方法。
【請求項４】
前記情報ブロックは、前記第１の基地局のセル識別子を備え、前記ランダムアクセス構成の前記インジケーションは、前記セル識別子であり、前記方法は、前記セル識別子に基づいて前記ランダムアクセス構成を決定することをさらに備える、
請求項１に記載の方法。
【請求項５】
前記情報ブロックは、マスタ情報ブロック（ＭＩＢ）である、
請求項１に記載の方法。
【請求項６】
前記情報ブロックは、システム情報ブロック（ＳＩＢ）である、
請求項１に記載の方法。
【請求項７】
前記情報ブロックは、ＳＩＢ１（ＳＩＢ１）である、
請求項６に記載の方法。
【請求項８】
前記情報ブロックは、ＳＩＢ１（ＳＩＢ１）のサブセットである、
請求項６に記載の方法。
【請求項９】
前記受信されたランダムアクセス応答において受信された前記システム情報に基づいて前記第１の基地局にレイヤ２（Ｌ２）／レイヤ３（Ｌ３）（Ｌ２／Ｌ３）メッセージを送ることをさらに備える、
請求項１に記載の方法。
【請求項１０】
ワイヤレス通信のための装置であって、前記装置はユーザ機器（ＵＥ）であり、
第２の基地局に留まっている間に第１の基地局から情報ブロックを受信するための手段、前記第１の基地局は、休止状態であり、前記情報ブロックは、ランダムアクセスプロシージャの少なくとも一部を実行するためのランダムアクセス構成のインジケーションを備える、と、
前記第２の基地局から前記第１の基地局に再選択することを決定するための手段と、
前記ランダムアクセスプロシージャ中にシステム情報を受信するための手段、前記システム情報は、前記第１の基地局からのランダムアクセス応答において受信される、と、
前記第２の基地局から前記第１の基地局に再選択するために、前記第１の基地局から前記情報ブロックに含まれている前記インジケーションにより示された前記ランダムアクセス構成に基づいて前記第１の基地局とのランダムアクセスプロシージャの少なくとも一部を実行するための手段、前記システム情報は、前記ランダムアクセスプロシージャの残りの一部を実行するための第２のランダムアクセス構成を示す、と
を備える、装置。
【請求項１１】
前記第２の基地局から、前記第１の基地局を検出するためのリソースのインジケーションを受信するための手段をさらに備え、前記情報ブロックは、前記示されたリソース中で受信される、
請求項１０に記載の装置。
【請求項１２】
前記第２の基地局からページング通知を受信するための手段をさらに備え、前記再選択する決定は、前記受信されたページング通知に基づく、
請求項１０に記載の装置。
【請求項１３】
前記情報ブロックは、前記第１の基地局のセル識別子を備え、前記ランダムアクセス構成の前記インジケーションは、前記セル識別子であり、前記装置は、前記セル識別子に基づいて前記ランダムアクセス構成を決定するための手段をさらに備える、
請求項１０に記載の装置。
【請求項１４】
前記受信されたランダムアクセス応答において受信された前記システム情報に基づいて前記第１の基地局にレイヤ２（Ｌ２）／レイヤ３（Ｌ３）（Ｌ２／Ｌ３）メッセージを送るための手段をさらに備える、
請求項１０に記載の装置。
【請求項１５】
請求項１乃至９のいずれか１項に記載の方法を実行するための命令を備える、
コンピュータプログラム。
【手続補正書】
【提出日】平成29年1月10日(2017.1.10)
【手続補正１】
【補正対象書類名】特許請求の範囲
【補正対象項目名】全文
【補正方法】変更
【補正の内容】
【特許請求の範囲】
【請求項１】
使用者端末に設置された広告提供アプリケーションを通じて広告を提供する方法において、
前記使用者端末のディスプレイ部をオフ状態からオン状態に変更するように要請する活性化要請信号を受信する段階と、
前記活性化要請信号が受信されると、前記使用者端末の活性化されたディスプレイ部に広告を表示する段階と、
表示される広告と関連した広告コンテンツの提供を要請する広告コンテンツ要請信号を受信する段階と、
前記広告コンテンツ要請信号を受信すると、前記広告コンテンツを前記使用者端末のディスプレイ部に表示する段階と、を含み、
前記表示される広告は、前記広告提供アプリケーションを通じて選択されたカテゴリ選択情報により決定され、
前記広告コンテンツ要請信号を受信すると、前記使用者端末に対してリワードを提供する、広告提供方法。
【請求項２】
前記広告の表示中に前記使用者端末に対するロック解除要請信号を受信する場合、前記広告の提供を中止する、請求項１に記載の広告提供方法。
【請求項３】
前記広告コンテンツ要請信号は前記表示される広告に対するクリック信号である、請求項１または請求項２に記載の広告提供方法。
【請求項４】
前記広告コンテンツ要請信号は前記使用者端末に対するロック解除要請信号であり、前記広告コンテンツは前記使用者端末がロック解除された待機画面に提供される、請求項１に記載の広告提供方法。
【請求項５】
前記カテゴリ選択情報は、複数のカテゴリリストから選択された一つ以上のカテゴリであって、
前記複数のカテゴリリストは、広告を提供する広告主の業種、使用者の感情状態、使用者の関心事および特定色情報のうち一つ以上を含む、請求項１〜請求項４のいずれか一項に記載の広告提供方法。
【請求項６】
前記活性化要請信号を受信して前記広告を表示する場合、前記使用者端末にリワードを提供する、請求項１〜請求項５のいずれか一項に記載の広告提供方法。
【請求項７】
前記広告コンテンツ要請信号により提供されるリワードは前記活性化要請信号により提供されるリワードより大きい、請求項６に記載の広告提供方法。
【請求項８】
前記広告を表示する段階は、前記活性化要請信号を受信した時刻情報に相応する広告を表示する請求項１〜請求項７のいずれか一項に記載の広告提供方法。
【請求項９】
前記広告提供アプリケーションは、広告提供サーバーからあらかじめ前記広告の伝送を受けて一時保存し、前記活性化要請信号が受信されると一時保存された広告を前記ディスプレイ部に表示する、請求項１〜請求項８のいずれか一項に記載の広告提供方法。
【請求項１０】
前記活性化要請信号が受信されると、広告提供サーバーから広告の伝送を受けて前記ディスプレイ部に表示する、請求項１〜請求項８のいずれか一項に記載の広告提供方法。
【請求項１１】
前記広告コンテンツは前記広告する物品に対する詳細情報、前記広告するブランドのプロモーション情報、前記広告するブランドのウェブページまたは前記広告する物品の購買のためのウェブページのうち一つ以上を含む、請求項１〜請求項１０のいずれか一項に記載の広告提供方法。
【請求項１２】
前記広告コンテンツ要請信号により提供されるリワードは、前記広告する物品の購買のために使用され得る、請求項１１に記載の広告提供方法。
【手続補正書】
【提出日】平成29年1月31日(2017.1.31)
【手続補正１】
【補正対象書類名】特許請求の範囲
【補正対象項目名】全文
【補正方法】変更
【補正の内容】
【特許請求の範囲】
【請求項１】
アプリ内課金のためのマーケット毎価格区別のための方法であって、
計算デバイスにおいて、処理デバイスから、アプリケーション・ストアから品目を購入するアプリ内課金（ＩＡＰ）要求を受けるステップであって、前記要求が、前記処理デバイスの位置情報を含む、ステップと、
前記位置情報に基づいて前記処理デバイスに関連するマーケットを決定するステップと、
前記計算デバイスに接続されたデーター・ストレージから、前記品目に対する製品識別子を、決定された前記マーケットと前記要求からの前記品目の識別子とに基づいて、前記品目に対する複数の製品識別子から選択するステップと、
前記データー・ストレージから、前記製品識別子と、該製品識別子に関連する課金情報を抽出するステップと、
前記製品識別子に対応する前記品目に対する前記課金情報を、前記処理デバイスに送るステップと、
を含む、方法。
【請求項２】
請求項１記載の方法において、前記ユーザーに関連するマーケットを判定するステップが、前記アプリケーション・ストアにおける前記ユーザーのアカウントに関連する国を判定するステップを含む、方法。
【請求項３】
請求項１記載の方法において、前記品目の製品識別子を判定するステップが、前記アプリケーションが、製品識別子および対応するマーケットを含むマッピングから、前記製品識別子を判定するステップを含む、方法。
【請求項４】
請求項１記載の方法において、前記品目が、サブスクリプション、消費可能な課金、消費不可能な課金の内少なくとも１つである、方法。
【請求項５】
請求項１記載の方法において、前記品目が、前記マーケットの各々に対して異なる製品ＩＤを有する同じ製品である、方法。
【請求項６】
請求項１記載の方法において、前記ユーザーに関連する前記マーケットを判定するステップが、
前記ＩＡＰ要求に応答して、前記アプリケーション・ストアから、前記アプリケーション・ストアに対する前記ユーザーのアカウントの位置を識別する位置プロパティを受信するステップ、または
前記アプリケーション・ストアから、前記ユーザーの国を識別する位置プロパティを受信するステップ、
の内少なくとも１つを含む、方法。
【請求項７】
アプリ内課金のためのマーケット毎価格区別のためのコンピューター実行可能命令を格納するコンピューター読み取り可能記憶媒体であって、
計算デバイスにおいて、ｉＯＳデバイスにおけるアプリケーションから、アプリケーション・ストアから品目を購入するアプリ内課金（ＩＡＰ）要求を受け、前記要求が前記ｉＯＳデバイスの位置情報を含み、
前記位置情報に基づいて前記ｉＯＳデバイスに関連するマーケットを判定し、
前記計算デバイスに接続されたデーター・ストレージから、前記品目に対する製品識別子を、決定された前記マーケットと前記要求からの前記品目の識別子とに基づいて、前記品目に対する複数の製品識別子から選択し、
前記データー・ストレージから、前記製品識別子と、該製品識別子に関連する課金情報を抽出し、
前記製品識別子に対応する前記品目に対する前記課金情報を、前記処理デバイスに送る、
ことを含む、コンピューター読み取り可能記憶媒体。
【請求項８】
アプリ内課金のためのマーケット毎価格区別のためのシステムであって、
プロセッサーおよびメモリーと、
前記プロセッサーを使用して実行する動作環境と、
ディスプレイと、
マーケット・マネージャーと、
を含み、前記マーケット・マネージャーが、
処理デバイスで実行するアプリケーションから、アプリケーション・ストアから品目を購入するアプリ内課金（ＩＡＰ）要求を受ける動作であって、前記要求が、前記処理デバイスの位置情報を含む、動作と、
前記位置情報に基づいて前記処理デバイスに関連するマーケットを決定する動作と、
前記システムに接続されたデーター・ストレージから、前記品目に対する少なくとも２つの製品識別子を、決定された前記マーケットと前記要求からの前記品目の識別子とに基づいて選択する動作と、
前記データー・ストレージから、前記少なくとも２つの製品識別子と、該少なくとも２つの製品識別子に関連する課金情報を抽出する動作と、
前記少なくとも２つの製品識別子に対応する前記品目に対する前記課金情報を、前記処理デバイスに送る動作と、
を実行するように構成される、システム。
【請求項９】
請求項８記載のシステムにおいて、前記ユーザーに関連するマーケットを判定する動作が、前記アプリケーション・ストアにおける前記ユーザーのアカウントに関連する国を判定する動作を含む、システム。
【請求項１０】
請求項８記載のシステムにおいて、前記ユーザーに関連する前記マーケットを判定する動作が、前記ＩＡＰ要求に応答して、前記アプリケーション・ストアから、前記アプリケーション・ストアに対する前記ユーザーのアカウントの位置を識別する位置プロパティを受信する動作を含む、システム。
【手続補正書】
【提出日】平成29年2月10日(2017.2.10)
【手続補正１】
【補正対象書類名】特許請求の範囲
【補正対象項目名】全文
【補正方法】変更
【補正の内容】
【特許請求の範囲】
【請求項１】
モザイクカラー画像データの圧縮方法であって、
ビデオカメラの１つまたは複数の画像センサによって取得されたモザイクカラー画像データであって、第１の緑色チャネルと第２の緑色チャネルと赤色チャネルと青色チャネルとを含む複数の空間インターリーブカラーチャネルそれぞれに対する複数の画素値を含むモザイクカラー画像データにアクセスするステップと、
前記第２の緑色チャネルの複数の画素のそれぞれの画素に対して、それぞれの画素に空間的に近接した位置にある前記第１の緑色チャネルの複数の画素の値から導出された計算値を使用して、それぞれの画素に対応する初期値を修正することにより、少なくとも部分的に前記第２の緑色チャネルを変換するステップと、
前記変換された第２の緑色チャネルを圧縮するステップと、
前記変換され圧縮された第２の緑色チャネルを、圧縮された前記第１の緑色チャネルと前記赤色チャネルと前記青色チャネルと共に前記ビデオカメラの少なくとも１つのメモリデバイスに保存するステップと、
を含む圧縮方法。
【請求項２】
前記変換ステップは、前記初期値から前記計算値を差し引くステップを含む、請求項１に記載の圧縮方法。
【請求項３】
前記計算値は、それぞれの画素に空間的に近接した位置にある前記第１の緑色チャネルの複数の画素値の平均値を含む、請求項２に記載の圧縮方法。
【請求項４】
それぞれの画素に空間的に近接した位置にある前記第１の緑色チャネルの複数の画素は、それぞれの画素の対角線上に隣接した少なくとも２つの画素を含む、請求項３に記載の圧縮方法。
【請求項５】
前記少なくとも２つの画素は、それぞれの画素の対角線上に隣接した前記第１の緑色チャネルの４つの画素を含む、請求項４に記載の圧縮方法。
【請求項６】
それぞれの画素に空間的に近接した位置にある前記第１の緑色チャネルの複数の画素は、少なくとも２つの画素を含み、それぞれの画素は前記少なくとも２つの画素間に位置決めされる、請求項１に記載の圧縮方法。
【請求項７】
前記少なくとも２つの画素は、それぞれの画素に対して互いに対角線上に対向した位置にある２つの画素を含む、請求項６に記載の圧縮方法。
【請求項８】
前記少なくとも２つの画素は、それぞれの画素に対して対角線上に対向する位置にある第１の組の画素と、それぞれの画素に対して対角線上に対向する位置にある第２の組の画素とを含む、請求項７に記載の圧縮方法。
【請求項９】
前記少なくとも２つの画素は、それぞれの画素の対角線上に隣接した位置にある、請求項７に記載の圧縮方法。
【請求項１０】
それぞれの画素に空間的に近接した位置にある前記第１の緑色チャネルの複数の画素は、少なくとも３つの画素を含む、請求項１に記載の圧縮方法。
【請求項１１】
前記カラー画像データは、Ｂａｙｅｒパターンに従ってモザイク処理されている、請求項１に記載の圧縮方法。
【請求項１２】
前記変換により、前記第１の緑色チャネルは前記第２の緑色チャネルから空間的相関除去されている、請求項１に記載の圧縮方法。
【請求項１３】
前記第１の緑色チャネルを圧縮するステップと、前記圧縮された第１の緑色チャネルを前記少なくとも１つのメモリデバイスに保存するステップとをさらに含む、請求項１に記載の圧縮方法。
【請求項１４】
前記赤色チャネルのそれぞれの画素値から、前記赤色チャネルのそれぞれの画素値に空間的に近接した位置にある前記第１の緑色チャネルおよび前記第２の緑色チャネルの１つまたは複数の画素値から導出された計算値を差し引くことにより、前記赤色チャネルを変換するステップと、
前記変換された赤色チャネルを圧縮するステップと、
前記青色チャネルのそれぞれの画素値から、前記青色チャネルのそれぞれの画素値に空間的に近接した位置にある前記第１の緑色チャネルおよび前記第２の緑色チャネルの１つまたは複数の画素値から導出された計算値を差し引くことにより、前記青色チャネルを変換するステップと、
前記変換された青色チャネルを圧縮するステップと、
前記変換され圧縮された赤色チャネルおよび青色チャネルを前記少なくとも１つのメモリデバイスに記憶するステップと、
をさらに含む、請求項１に記載の圧縮方法。
【請求項１５】
前記変換により、前記第１の緑色チャネルおよび前記第２の緑色チャネルの１つまたは複数は、前記赤色チャネルおよび前記青色チャネルから空間的相関除去される、請求項１４に記載の圧縮方法。
【請求項１６】
少なくとも１つのメモリデバイスと、
画像センサ上の入射光をカラー画像データに変換するよう構成された１つまたは複数の画像センサと、
画像処理モジュールと、を備え、
前記カラー画像データは、パターンに従ってモザイク処理されており、第１の緑色チャネルと第２の緑色チャネルと赤色チャネルと青色チャネルとを含む複数の空間インターリーブカラーチャネルそれぞれの複数の画素値を含んでおり、
前記画像処理モジュールは、
前記第２の緑色チャネルの複数の画素のそれぞれの画素に対して、それぞれの画素に空間的に近接した位置にある前記第１の緑色チャネルの複数の画素の値から導出された計算値を使用して、それぞれの画素に対応する初期値を修正することにより、少なくとも部分的に前記第２の緑色チャネルを変換し、
前記変換された第２の緑色チャネルを圧縮し、
前記変換され圧縮された第２の緑色を前記メモリデバイスに保存するよう構成されている、ビデオカメラ。
【手続補正書】
【提出日】平成29年1月18日(2017.1.18)
【手続補正１】
【補正対象書類名】特許請求の範囲
【補正対象項目名】全文
【補正方法】変更
【補正の内容】
【特許請求の範囲】
【請求項１】
第１移動体ユーザー端末および第２移動体ユーザー端末が互いの相対的地理的近接の範囲内にあるか否か、前記第１移動体ユーザー端末および前記第２移動体ユーザー端末が接続して動作可能であるパケット交換ネットワークの仲介ネットワーク機器の少なくとも１つのプロパティに依存して、判定するように構成された判断処理モジュールであって、前記少なくとも１つのプロパティが、前記パケット交換ネットワークの仲介ネットワーク機器を介して前記第１移動体ユーザー端末および前記第２移動体ユーザー端末間を伝達するパケットの伝送時間を含み、前記伝送時間は、前記パケット交換ネットワークの仲介ネットワーク機器の影響を斟酌したものである、判断処理モジュールと、
第１測地技術を用いて前記第１移動体ユーザー端末の第１地理的位置を推定し、第２測地技術を用いて前記第２移動体ユーザー端末の第２地理的位置を取得する測地処理モジュールであって、前記第２移動体ユーザー端末の第２地理的位置を取得するのに用いられた第２測地技術は、前記第１移動体ユーザー端末が使用しないものである、測地処理モジュールと、
を含む、装置において、
前記判断処理モジュールが、
前記第２測地技術を用いて取得された第２地理的位置が、前記第１測地技術を用いて取得された第１地理的位置に比べ、より正確であるかを判断し、
前記第２測地技術を用いて取得された第２地理的位置が、前記第１測地技術を用いて取得された第１地理的位置に比べ、より正確であるときであって、且つ、前記第１移動体ユーザー端末および前記第２移動体ユーザー端末が互いの相対的地理的近接の範囲内であるときに、前記第２移動体ユーザー端末の第２地理的位置を使用して、前記第１移動体ユーザー端末の第１地理的位置を推定することを特徴とする、
装置。
【請求項２】
請求項１に記載の装置において、前記少なくとも１つのプロパティが、前記仲介ネットワーク機器を含むサブネットワークの指示を含み、前記第１移動体ユーザー端末および前記第２移動体ユーザー端末が双方共前記サブネットワークに接続されることを条件に、前記第１移動体ユーザー端末および前記第２移動体ユーザー端末が互いの相対的地理的近接の範囲内にあると判定される、装置。
【請求項３】
請求項１又は２に記載の装置において、前記少なくとも１つのプロパティが、前記仲介ネットワーク機器を介して前記パケット交換ネットワークに接続する端末のアドレス空間を含み、前記アドレス空間が、前記パケット交換ネットワークのアドレスの部分集合であり、前記第１移動体ユーザー端末および前記第２移動体ユーザー端末が前記アドレス空間を共有することを条件に、前記第１移動体ユーザー端末および前記第２移動体ユーザー端末が互いの相対的地理的近接の範囲内にあると判定される、装置。
【請求項４】
請求項１〜３のいずれか一項に記載の装置において、前記少なくとも１つのプロパティが、前記仲介ネットワーク機器を介した、前記第１移動体ユーザー端末および前記第２移動体ユーザー端末間におけるホップの回数を含み、前記第１移動体ユーザー端末および前記第２移動体ユーザー端末が、閾値回数以内のホップだけ分離されることを条件に、前記第１移動体ユーザー端末および前記第２移動体ユーザー端末が互いの相対的地理的近接の範囲内にあると判定する、装置。
【請求項５】
請求項１〜４のいずれか一項に記載の装置において、前記少なくとも１つのプロパティが、前記仲介ネットワーク機器のネットワーク・インターフェース・アドレスを含み、前記第１移動体ユーザー端末および前記第２移動体ユーザー端末が双方とも前記ネットワーク・インターフェース・アドレスに接続することを条件に、前記第１移動体ユーザー端末および前記第２移動体ユーザー端末が互いの相対的地理的近接の範囲内にあると判定する、装置。
【請求項６】
請求項１〜６のいずれか一項に記載の装置において、前記判断処理モジュールが、前記第１移動体ユーザー端末および前記第２移動体ユーザー端末間で通信するために現在利用可能なアクセス技術の形式に依存して、前記第１移動体ユーザー端末および前記第２移動体ユーザー端末が互いの相対的地理的近接の範囲内にあるか否か判定するように構成される、装置。
【請求項７】
請求項１〜７のいずれか一項に記載の装置において、当該装置が、前記第１移動体ユーザー端末において実装され、前記第２移動体ユーザー端末から前記第２移動体ユーザー端末の地理的位置を得るように構成される、装置。
【請求項８】
第１移動体ユーザー端末および第２移動体ユーザー端末が互いの相対的地理的近接の範囲内にあるか否か、前記第１移動体ユーザー端末および前記第２移動体ユーザー端末が接続して動作可能であるパケット交換ネットワークの仲介ネットワーク機器の少なくとも１つのプロパティに依存して、判定するステップであって、前記少なくとも１つのプロパティが、前記パケット交換ネットワークの仲介ネットワーク機器を介して前記第１移動体ユーザー端末および前記第２移動体ユーザー端末間を伝達するパケットの伝送時間を含み、前記伝送時間は、前記パケット交換ネットワークの仲介ネットワーク機器の影響を斟酌したものである、ステップと、
第１測地技術を用いて前記第１移動体ユーザー端末の第１地理的位置を推定するステップと、
第２測地技術を用いて前記第２移動体ユーザー端末の第２地理的位置を取得するステップであって、前記第２移動体ユーザー端末の第２地理的位置を取得するのに用いられた第２測地技術は、前記第１移動体ユーザー端末が使用しないものである、ステップと、
を含む方法であって、
第１測地技術を用いて前記第１移動体ユーザー端末の第１地理的位置を推定するステップは、
前記第２測地技術を用いて取得された第２地理的位置が、前記第１測地技術を用いて取得された第１地理的位置に比べ、より正確であるかを判断し、
前記第２測地技術を用いて取得された第２地理的位置が、前記第１測地技術を用いて取得された第１地理的位置に比べ、より正確であるときであって、且つ、前記第１移動体ユーザー端末および前記第２移動体ユーザー端末が互いの相対的地理的近接の範囲内であるときに、前記第２移動体ユーザー端末の第２地理的位置を使用して、前記第１移動体ユーザー端末の第１地理的位置を推定することを特徴とする、
方法。
【請求項９】
請求項８に記載の方法を実行するためのプログラム。
【請求項１０】
請求項８に記載の方法を実行するためのプログラムを記録した記録媒体。
【手続補正書】
【提出日】平成29年1月19日(2017.1.19)
【手続補正１】
【補正対象書類名】特許請求の範囲
【補正対象項目名】全文
【補正方法】変更
【補正の内容】
【特許請求の範囲】
【請求項１】
圧電センサを実装するシステムであって、
少なくとも１つの標準センサインタフェースを含むセンサポッドと、
それぞれが、少なくとも１つの相補的標準センサインタフェースを有する、異なる外部マウントインタフェースを含む複数の異なるマウントアダプタと、
を備え、
前記センサポッドは、円柱状の主筐体を有し、前記標準センサインタフェースは、前記主筐体の外部の大半をカバーするねじりインタフェースであることを特徴とするシステム。
【請求項２】
前記同一の標準センサインタフェースを有する複数のセンサポッドを更に備え、異なるセンサポッドは、異なる出力感度を測定することが出来る、ことを特徴とする請求項１に記載のシステム。
【請求項３】
前記出力感度は、１から１０００ｍＶ／ｇの範囲である、ことを特徴とする請求項２に記載のシステム。
【請求項４】
前記マウントアダプタの少なくとも１つは、ブロック形状であることを特徴とする請求項１に記載のシステム。
【請求項５】
前記マウントアダプタの少なくとも１つは、六角形インタフェースを有することを特徴とする請求項１に記載のシステム。
【請求項６】
前記マウントアダプタの少なくとも１つは、２以上のセンサポッドを保持するように設計されていることを特徴とする請求項１に記載のシステム。
【請求項７】
前記マウントアダプタの少なくとも１つは、三軸構成において、３つのセンサポッドを保持するように設計されていることを特徴とする請求項６に記載のシステム。
【請求項８】
前記センサポッドは、トランスデューサと信号調整電子回路を含む、ことを特徴とする請求項１に記載のシステム。
【請求項９】
前記センサポッドは、ＩＥＰＥセンサ設計を有することを特徴とする請求項８に記載のシステム。
【請求項１０】
圧電センサのモジュール型システムであって、
それぞれが、少なくとも１つの標準センサインタフェースを含む、様々な感度を有する複数のセンサポッドと、
外部マウントインタフェースと、少なくとも１つの相補的標準センサインタフェースを有するマウントアダプタと、
を備え、
前記複数のセンサポッド中の各センサポッドは、円柱状の主筐体を有し、前記複数のセンサポッド中の各センサポッドの前記標準センサインタフェースは、前記主筐体の外部の大半をカバーするねじりインタフェースであることを特徴とするシステム。
【請求項１１】
異なる外部マウントインタフェースを含む複数の異なるマウントアダプタを更に備え、各マウントアダプタは、少なくとも１つの相補的標準センサインタフェースを有する、ことを特徴とする請求項１０に記載のシステム。
【請求項１２】
前記出力感度は、１から１０００ｍＶ／ｇの範囲であることを特徴とする請求項１０に記載のシステム。
【請求項１３】
前記出力感度は、１から２５ｐＣ／ｇの範囲であることを特徴とする請求項１０に記載のシステム。
【請求項１４】
前記マウントアダプタは、六角形外部インタフェースを有することを特徴とする請求項１０に記載のシステム。
【請求項１５】
前記マウントアダプタは、２以上のセンサポッドを保持するように設計されていることを特徴とする請求項１０に記載のシステム。
【請求項１６】
前記マウントアダプタは、三軸構成において、３つのセンサポッドを保持するように設計されていることを特徴とする請求項１５に記載のシステム。
【請求項１７】
前記センサポッドは、トランスデューザと、信号調整電子回路とを含む、ことを特徴とする請求項１０に記載のシステム。
【請求項１８】
異なるマウントインタフェースを有する複数の圧電センサを提供する方法であって、
それぞれが同一の標準センサインタフェースを有する複数のセンサポッドを製造することと、
異なる外部インタフェースを有するが、それぞれが相補的な標準センサインタフェースを有する複数のマウントアダプタを製造することと、
を備えることを特徴とする方法。
【請求項１９】
前記複数のセンサポッドは、様々な感度のセンサポッドを含むことを特徴とする請求項１８に記載の方法。
【請求項２０】
前記複数のセンサポッドは、異なる測定可能効果を検出するように設計されたセンサポッドを含む、ことを特徴とする請求項１８に記載の方法。
【請求項２１】
前記マウントアダプタは、更に、前記マウントアダプタの前記外部マウントインタフェースに結合する衝撃吸収材料を含む、ことを特徴とする請求項１０に記載のシステム。
【請求項２２】
前記マウントアダプタは、更に、前記複数のセンサポッドの各センサポッドのそれぞれと前記マウントアダプタとの間に熱絶縁材料を含む、ことを特徴とする請求項１０に記載のシステム。
【請求項２３】
前記マウントアダプタは、更に、前記外部マウントインタフェースに結合した衝撃吸収材料を含む、ことを特徴とする請求項１に記載のシステム。
【請求項２４】
前記マウントアダプタは、更に、前記センサポッドがマウントアダプタに組み立てられたとき、前記マウントアダプタから前記センサポッドを熱絶縁するために配置された熱絶縁材料を含む、ことを特徴とする請求項１に記載のシステム。
【手続補正書】
【提出日】平成29年1月27日(2017.1.27)
【手続補正１】
【補正対象書類名】特許請求の範囲
【補正対象項目名】全文
【補正方法】変更
【補正の内容】
【特許請求の範囲】
【請求項１】
以下を含む、リウマチ性関節炎（ＲＡ）を診断する方法：
酸化されたコラーゲンＩＩに対する抗体の存在または不存在のために被検者からのサンプルを試験すること；
ここでサンプル中の酸化されたコラーゲンＩＩに対する抗体の存在は、被検者のＲＡを示す。
【請求項２】
被検者が環状シトルリン化ペプチド（ＡＣＰＡ）に対する抗体を有していない、請求項１記載の方法。
【請求項３】
以下を含む、被検者が疾患修飾抗リウマチ薬（ＤＭＡＲＤ）に応答するかどうかを同定するための方法：
酸化されたコラーゲンＩＩに対する抗体の存在または不存在のために被検者からのサンプルを試験すること；
ここでサンプル中の酸化されたコラーゲンＩＩに対する抗体の不存在は、被検者がＤＭＡＲＤに応答することを示す。
【請求項４】
請求項３記載の方法であって、
（ａ）  ＤＭＡＲＤが、オーラノフィン、ソジウムアウロチオマレート、アザチオプリン、クロロキン、ヒドロキシクロロキン、シクロスポリン（シクロスポリン  Ａ）、レフルノミド、メトトレキサート（ＭＴＸ）、ミノサイクリン、ペニシラミン、およびスルファサラジン（ＳＳＺ）から成る群から選択される、および／または
（ｂ）  被検者がＲＡを持っている、および／または
（ｃ）  被検者が以前に１種以上のＤＭＡＲＤｓで治療されているか、または現在１種以上のＤＭＡＲＤｓで治療されている、方法。
【請求項５】
請求項１から４のいずれか１項記載の方法であって、
（ａ）  サンプルが血清、血漿、全血または滑液のサンプルである、および／または
（ｂ）  酸化されたＣＩＩが非酵素学的グリケーションまたは反応性酸素分子種（ＲＯＳ）またはアルデヒドにかかわる反応で酸化された、方法。
【請求項６】
請求項５記載の方法であって、
（ａ）  ＲＯＳがスーパーオキシドラジカル（Ｏ２・−）、過酸化水素（Ｈ２Ｏ２）、脂質ヒドロペルオキシド（ＬＯＯＨ）、遷移金属イオンと組み合わせた脂質ヒドロペルオキシド、遷移金属イオンと組み合わせた過酸化水素、水酸基ラジカル（・ＯＨ）、次亜塩素酸（ＨＯＣｌ）、次亜臭素酸（ＨＯＢｒ）、一酸化窒素（ＮＯ・）、二酸化窒素（ＮＯ２・）および過酸化窒素（ＯＮＯＯ−）から成る群から選択される、または
（ｂ）  グリケーションがグルコース、リボースまたは他の糖類によって引き起こされる、または
（ｃ）  アルデヒドがマロンアルデヒドおよび４−ヒドロキシノネナールから成る群から選択される、方法。
【請求項７】
酸化されたコラーゲンＩＩに対する抗体の存在または不存在が、ＥＬＩＳＡアッセイを使用して決定される、請求項１から６のいずれか１項記載の方法。
【請求項８】
以下を含む、必要な被検者のリウマチ性関節炎（ＲＡ）を治療する方法に使用するためのＤＭＡＲＤ：
被検者からのサンプルを、酸化されたコラーゲンＩＩに対する抗体の存在または不存在について試験すること；
サンプル中の、酸化されたコラーゲンＩＩに対する抗体の不存在を同定すること；および
ＤＭＡＲＤを被検者に投与すること。
【請求項９】
以下を含む、必要な被検者のリウマチ性関節炎（ＲＡ）を治療する方法に使用するための非ＤＭＡＲＤ  ＲＡ薬：
被検者からのサンプルを、酸化されたコラーゲンＩＩに対する抗体の存在または不存在について試験すること；
サンプル中の、酸化されたコラーゲンＩＩに対する抗体の存在を同定すること；および
非ＤＭＡＲＤ  ＲＡ薬を被検者に投与すること。
【請求項１０】
非ＤＭＡＲＤ  ＲＡ薬が生物学的製剤である、請求項９記載の方法。
【請求項１１】
生物学的製剤が以下から成る群から選択される、請求項１０記載の方法：
アバタセプト（オレンシア）、アダリムマブ（フミラ）、アナキンラ（キネレット）、セルトリズマブ  ペゴル（シムジア）、エタナーセプト（エンブレル)、ゴリブマブ（シンポニ）、インフリクシマブ（レミケード)、リツキシマブ（リツキサン)、およびトシリズマブ（アクテムラ）。
【請求項１２】
被検者が抗ＴＮＦ生物学的製剤に応答するかどうかを同定するための、以下を含む方法：
被検者からのサンプルを、酸化されたコラーゲンＩＩに対する抗体の存在または不存在について試験すること；
ここでサンプル中の酸化されたコラーゲンＩＩに対する抗体の不存在は、被検者が抗ＴＮＦ生物学的製剤に応答することを示す。
【請求項１３】
必要な被検者のリウマチ性関節炎（ＲＡ）を治療するための以下を含む方法に使用するための抗ＴＮＦ生物学的製剤：
被検者からのサンプルを、酸化されたコラーゲンＩＩに対する抗体の存在または不存在について試験すること；
サンプル中の酸化されたコラーゲンＩＩに対する抗体の不存在を同定すること；および
抗ＴＮＦ生物学的製剤を被検者に投与すること。
【請求項１４】
必要な被検者のリウマチ性関節炎（ＲＡ）を治療するための以下を含む方法に使用するための非−抗ＴＮＦ生物学的製剤：
被検者からのサンプルを、酸化されたコラーゲンＩＩに対する抗体の存在または不存在について試験すること；
サンプル中の酸化されたコラーゲンＩＩに対する抗体の存在を同定すること；および
非−抗ＴＮＦ生物学的製剤を被検者に投与すること。
【請求項１５】
請求項１２記載の方法、請求項１３記載の抗ＴＮＦ生物学的製剤、または請求項１４記載の非−抗ＴＮＦ生物学的製剤であって、
被検者が以前に抗ＴＮＦ生物製で治療されているか、または現在抗ＴＮＦ生物製で治療されているもの。
【手続補正書】
【提出日】平成29年1月25日(2017.1.25)
【手続補正１】
【補正対象書類名】特許請求の範囲
【補正対象項目名】全文
【補正方法】変更
【補正の内容】
【特許請求の範囲】
【請求項１】
腸疾患の予防および／または治療、および／または、腸疾患のリスク低減における、医療的使用のための、
アセチルコリン産生微生物であって、
前記微生物は、Ｌａｃｔｏｂａｃｉｌｌｕｓ  ｓａｎｆｒａｎｃｉｓｃｅｎｓｉｓ株、Ｌａｃｔｏｂａｃｉｌｌｕｓ  ｒｏｓｓｉａｅ株、または、Ｌａｃｔｏｂａｃｉｌｌｕｓ  ｂｒｅｖｉｓ株である、
アセチルコリン産生微生物。
【請求項２】
請求項１に記載の使用のためのアセチルコリン産生微生物であって、
健康な腸管内菌叢を維持および／または促進するため、および／または、消化プロセスの毒性作用を低減するため、および／または、消化器系を刺激するため、および／または、腸調節を改善するための、
アセチルコリン産生微生物。
【請求項３】
請求項１または２に記載の使用のためのアセチルコリン産生微生物であって、
前記腸疾患は、機能性腸疾患および／または腸神経系により制御される腸壁の分泌と関連する疾患であり、
具体的には、機能性便秘、機能性下痢および／または過敏性腸症候群（ＩＢＳ）であり、
より具体的には、便秘が主であるＩＢＳ、交互のＩＢＳ、または下痢が主であるＩＢＳである、
アセチルコリン産生微生物。
【請求項４】
請求項１または２に記載の使用のためのアセチルコリン産生微生物であって、
前記腸疾患は炎症性腸疾患であり、
具体的には、潰瘍性大腸炎および／またはクローン病である、
アセチルコリン産生微生物。
【請求項５】
請求項１から４のいずれか一項に記載の使用のためのアセチルコリン産生微生物であって、
前記微生物は、適切な培養条件下で、３０ｍｇ／ｋｇ以上のアセチルコリンを産生する、
アセチルコリン産生微生物。
【請求項６】
請求項１から５のいずれか一項に記載の使用のためのアセチルコリン産生微生物であって、
前記微生物が細菌である、
アセチルコリン産生微生物。
【請求項７】
請求項１から６のいずれか一項に記載の使用のためのアセチルコリン産生微生物であって、
前記乳酸菌（Ｌａｃｔｏｂａｃｉｌｌｕｓ）は、ＤＳＭ２６０２４株、ＤＳＭ２３０９０株、ＤＳＭ２３０９１株、ＤＳＭ２３２００株、ＤＳＭ２３０９２株、ＤＳＭ２３０９３株、ＤＳＭ２３２０１株、ＤＳＭ２３１７４株およびＤＳＭ２３１２１株、またはそれらから培養される株、特に、ＤＳＭ２３０９０株またはＤＳＭ２３０９３株、のいずれか１つから選択される、
アセチルコリン産生微生物。
【請求項８】
請求項１から７のいずれか一項に記載の使用のためのアセチルコリン産生微生物であって、
製剤の剤形、機能性食品または機能性飲料中の、
アセチルコリン産生微生物。
【請求項９】
請求項８に記載の使用のためのアセチルコリン産生微生物であって、
前記機能性食品がサワードウブレッドである、
アセチルコリン産生微生物。
【請求項１０】
請求項８または９に記載の使用のためのアセチルコリン産生微生物であって、
好ましい腸管内菌叢を維持および／または回復するための少なくとも１つのさらなる細菌をさらに含む、
アセチルコリン産生微生物。
【請求項１１】
請求項８または９に記載の使用のためのアセチルコリン産生微生物であって、
腸疾患の治療のための少なくとも１つのさらなる薬剤をさらに含む、
アセチルコリン産生微生物。
【請求項１２】
Ｌａｃｔｏｂａｃｉｌｌｕｓ  ｓａｎｆｒａｎｃｉｓｃｅｎｓｉｓ株、Ｌａｃｔｏｂａｃｉｌｌｕｓ  ｒｏｓｓｉａｅ株、または、Ｌａｃｔｏｂａｃｉｌｌｕｓ  ｂｒｅｖｉｓ株の使用による、
アセチルコリンを産生する方法。
【請求項１３】
腸疾患の治療および／または予防における使用のための、微生物によって産生されるアセチルコリンであって、
前記アセチルコリンは経口投与される、
微生物によって産生されるアセチルコリン。
【請求項１４】
腸内健康の維持および／または改善のための、アセチルコリン産生微生物の非医療的使用であって、
前記微生物は、Ｌａｃｔｏｂａｃｉｌｌｕｓ  ｓａｎｆｒａｎｃｉｓｃｅｎｓｉｓ株、Ｌａｃｔｏｂａｃｉｌｌｕｓ  ｒｏｓｓｉａｅ株、または、Ｌａｃｔｏｂａｃｉｌｌｕｓ  ｂｒｅｖｉｓ株である、
使用。
【請求項１５】
請求項２から１０のいずれか一項に定義される、
請求項１４の非医療的使用。
【手続補正書】
【提出日】平成28年12月13日(2016.12.13)
【手続補正１】
【補正対象書類名】特許請求の範囲
【補正対象項目名】全文
【補正方法】変更
【補正の内容】
【特許請求の範囲】
【請求項１】
ビデオデータを復号する方法であって、
現在のブロックを予測するための参照ピクチャリスト中の参照ピクチャの参照インデックスがビュー間参照ピクチャに対応するかどうかを決定することと、
前記ビュー間参照ピクチャに対応する前記参照インデックスに基づいて、前記現在のブロックが、前記ビュー間参照ピクチャから合成されたピクチャの少なくとも一部を使用してビュー合成予測（ＶＳＰ）を用いて予測されるかどうかを示すデータを、符号化されたビットストリームから取得することとを備え、
前記現在のブロックがＶＳＰを用いて予測されるかどうかを示す前記データを取得することが、前記現在のブロックに対する前記参照インデックスがビュー間参照ピクチャに対応するときだけ、ブロックレベルでＶＳＰフラグを取得することを備える、方法。
【請求項２】
前記現在のブロックを復号するためにビュー合成参照ピクチャの参照インデックスの指示を含まないスライスヘッダを復号することをさらに備える、請求項１に記載の方法。
【請求項３】
前記現在のブロックがＶＳＰを用いて予測されるかどうかを示す前記データが、前記現在のブロックに対する第１のＶＳＰモードを示すデータを備え、前記方法が、前記第１のＶＳＰモード及び第２のＶＳＰモードのうちの１つを実行するかどうかを示すデータを、前記符号化されたビットストリームから取得することをさらに備え、ここにおいて、前記第２のＶＳＰモードを実行することが、ビュー合成参照ピクチャの参照ピクチャインデックスに基づいて前記ビュー合成参照ピクチャを決定することを備える、請求項１に記載の方法。
【請求項４】
前記ビュー間参照ピクチャからビュー合成参照ピクチャを決定することと、
ビュー合成予測ピクチャを前記参照ピクチャリストに追加することと、ここにおいて、参照ピクチャリスト修正プロセスは、前記ビュー合成予測ピクチャを並べ替えるために使用されない、
前記ビュー合成参照ピクチャに対して前記現在のブロックを復号することとをさらに備える、請求項１に記載の方法。
【請求項５】
ビデオデータを符号化する方法であって、
現在のブロックを予測するための参照ピクチャリスト中の参照ピクチャの参照インデックスがビュー間参照ピクチャに対応するかどうかを決定することと、
前記ビュー間参照ピクチャに対応する前記参照インデックスに基づいて、前記現在のブロックが、前記ビュー間参照ピクチャから合成されたピクチャの少なくとも一部を使用してビュー合成予測（ＶＳＰ）を用いて予測されるかどうかを示すデータを生成することと、
ビットストリーム中の前記ＶＳＰモードを示す前記データを符号化することとを備え、
前記現在のブロックがＶＳＰを用いて予測されるかどうかを示す前記データを生成することが、前記現在のブロックに対する前記参照インデックスがビュー間参照ピクチャに対応するときだけ、ブロックレベルでＶＳＰフラグを生成することを備える、方法。
【請求項６】
前記ブロックレベルが、前記現在のブロックがマクロブロックであるときにマクロブロックレベルであるか、又は前記現在のブロックがマクロブロック区分であるときにマクロブロック区分レベルである、請求項１または５に記載の方法。
【請求項７】
前記現在のブロックを符号化するためにビュー合成参照ピクチャの参照インデックスの指示を含まないスライスヘッダを符号化することをさらに備える、請求項５に記載の方法。
【請求項８】
前記参照ピクチャリストが、参照ピクチャリストゼロだけを備える、請求項１または５に記載の方法。
【請求項９】
参照ピクチャリストが、第１の参照ピクチャリスト及び第２の参照ピクチャリストのうちの１つを備える、請求項１または５に記載の方法。
【請求項１０】
前記現在のブロックがＶＳＰを用いて予測されるかどうかを示す前記データが、前記現在のブロックに対する第１のＶＳＰモードを示すデータを備え、前記ＶＳＰモード及び第２のＶＳＰモードのうちの１つを実行するかどうかを示すデータを符号化することをさらに備え、前記第２のＶＳＰモードを実行することが、ビュー合成参照ピクチャの参照ピクチャインデックスに基づいて前記ビュー合成参照ピクチャを決定することを備える、請求項５に記載の方法。
【請求項１１】
前記ビュー間参照ピクチャからビュー合成参照ピクチャを決定することと、
ビュー合成予測ピクチャを前記参照ピクチャリストに追加することと、ここにおいて、参照ピクチャリスト修正プロセスは、前記ビュー合成予測ピクチャを並べ替えるために使用されない、
前記ビュー合成参照ピクチャに対して前記現在のブロックを符号化することとをさらに備える、請求項５に記載の方法。
【請求項１２】
前記ビュー間参照ピクチャが参照ピクチャリストゼロ中に含まれるときだけ、前記ビュー間参照ピクチャからビュー合成参照ピクチャを合成することをさらに備える、請求項１または５に記載の方法。
【請求項１３】
前記ビュー間参照ピクチャが参照ピクチャリスト１中に含まれるときだけ、前記ビュー間参照ピクチャからビュー合成参照ピクチャを合成することをさらに備える、請求項１または５に記載の方法。
【請求項１４】
ビデオデータをコード化するための装置であって、
現在のブロックを予測するための参照ピクチャリスト中の参照ピクチャの参照インデックスがビュー間参照ピクチャに対応するかどうかを決定するための手段と、
前記ビュー間参照ピクチャに対応する前記参照インデックスに基づいて、前記現在のブロックが、前記ビュー間参照ピクチャから合成されたピクチャの少なくとも一部を使用してビュー合成予測（ＶＳＰ）を用いて予測されるかどうかを示すデータをコード化するための手段と備え、
前記現在のブロックがＶＳＰを用いて予測されるかどうかを示す前記データをコード化するための前記手段が、前記現在のブロックに対する前記参照インデックスがビュー間参照ピクチャに対応するときだけ、ブロックレベルでＶＳＰフラグをコード化するための手段を備える、装置。
【請求項１５】
命令が記憶された非一時的コンピュータ可読媒体であって、前記命令が、実行されると、１つ以上のプロセッサに、
現在のブロックを予測するための参照ピクチャリスト中の参照ピクチャの参照インデックスがビュー間参照ピクチャに対応するかどうかを決定することと、
前記ビュー間参照ピクチャに対応する前記参照インデックスに基づいて、前記現在のブロックが、前記ビュー間参照ピクチャから合成されたピクチャの少なくとも一部を使用してビュー合成予測（ＶＳＰ）を用いて予測されるかどうかを示すデータをコード化することと行わせ、
前記現在のブロックがＶＳＰを用いて予測されるかどうかを示す前記データをコード化することが、前記現在のブロックに対する前記参照インデックスがビュー間参照ピクチャに対応するときだけ、ブロックレベルでＶＳＰフラグをコード化することを備える、コンピュータ可読媒体。